(57)【要約】【課題】先進的検針インフラストラクチャ（ＡＭＩ）サイト調査システムを提供する。【解決手段】ＡＭＩサイト調査システムは、ゲートウェイシミュレーション機器と、スマートメータシミュレーション機器とを含む。ゲートウェイシミュレーション機器は、ＷＡＮ通信プロトコルを用いてサーバと通信し、ＬＡＮ通信プロトコルを用いてスマートメータシミュレーション機器と通信する。スマートメータシミュレーション機器は、電力シミュレーション情報の一部を送信し、ＬＡＮ通信プロトコルに基づいてゲートウェイシミュレーション機器に電力シミュレーション情報を送信する。サーバがＷＡＮ通信プロトコルとＬＡＮ通信プロトコルを用いて電力シミュレーション情報の送信のネットワーク送信状態を記録するように、ゲートウェイシミュレーション機器は、ＷＡＮ通信プロトコルに基づいて、サーバに電力シミュレーション情報を送信する。【選択図】図１Ａ
2015104128.tif 000002
【特許請求の範囲】
【請求項１】
先進的検針インフラストラクチャ（ＡＭＩ）サイト調査システムであって、
上記ＡＭＩサイト調査システムは、
ゲートウェイシミュレーション機器と、
スマートメータシミュレーション機器とを備え、
上記ゲートウェイシミュレーション機器は
ゲートウェイ処理モジュールと、
ＷＡＮ通信プロトコルを用いてサーバと通信するワイドエリアネットワーク（ＷＡＮ）送信モジュールと、
第１のゲートウェイローカルエリアネットワーク（ＬＡＮ）送信モジュールとを含み、
上記スマートメータシミュレーション機器は、
電力シミュレーション情報の一部を送信するように構成される情報シミュレーション処理モジュールと、
第１のＬＡＮ通信プロトコルを用いて第１のゲートウェイＬＡＮ送信モジュールと通信する第１のスマートメータＬＡＮ送信モジュールとを含み、
上記情報シミュレーション処理モジュールは、第１のＬＡＮ通信プロトコルに基づいて第１のゲートウェイＬＡＮ送信モジュールに電力シミュレーション情報を送信するように、上記第１のスマートメータＬＡＮ送信モジュールを制御するように構成され、
上記ゲートウェイ処理モジュールは、上記サーバが上記第１のＬＡＮ通信プロトコル及び上記ＷＡＮ通信プロトコルを用いて電力シミュレーション情報の送信のネットワーク送信状況を記録するように、ＷＡＮ通信プロトコルに基づいて、上記サーバに電力シミュレーション情報を送信するように上記ＷＡＮ送信モジュールを制御するように構成されるＡＭＩサイト調査システム。
【請求項２】
上記ゲートウェイシミュレーション機器はさらに、第２のゲートウェイＬＡＮ送信モジュールを備え、
上記スマートメータシミュレーション機器はさらに、第２のスマートメータＬＡＮ送信モジュールを備え、
上記第２のスマートメータＬＡＮ送信モジュールは、第２のＬＡＮ通信プロトコルを用いて、上記第２のゲートウェイＬＡＮ送信モジュールと通信し、
上記情報シミュレーション処理モジュールはさらに、上記第２のＬＡＮ通信プロトコルに基づいて第２のゲートウェイＬＡＮ送信モジュールに電力シミュレーション情報を送信するように上記第２のスマートメータＬＡＮ送信モジュールを制御するように構成され、
上記ゲートウェイ処理モジュールはさらに、上記サーバが上記第２のＬＡＮ通信プロトコルと上記ＷＡＮ通信プロトコルを用いて上記電力シミュレーション情報の送信のネットワーク送信状態を記録するように、上記第２のＬＡＮ通信プロトコルに基づいて上記第２のスマートメータＬＡＮ送信モジュールから電力シミュレーション情報を受信するように、上記第２のゲートウェイＬＡＮ送信モジュールを制御するように構成される請求項１記載のＡＭＩサイト調査システム。
【請求項３】
上記ゲートウェイシミュレーション機器はさらに、ゲートウェイ中継モジュールを備え、
上記スマートメータシミュレーション機器はさらに、メータ中継モジュールを備え、
上記ゲートウェイ処理モジュールはさらに、上記電力シミュレーション情報を送信するように上記第２のゲートウェイＬＡＮ送信モジュールを制御して、送信スケジュールに従ってゲートウェイ中継モジュールを調整し、
上記情報シミュレーション処理モジュールはまた、上記電力シミュレーション情報を送信するように第２のスマートメータＬＡＮ送信モジュールを制御して、上記送信スケジュールに従って上記メータ中継モジュールを調整する請求項２記載のＡＭＩサイト調査システム。
【請求項４】
上記ゲートウェイ処理モジュール及び上記情報シミュレーション処理モジュールはさらに、上記サーバからの制御コマンドを受信し、
上記情報シミュレーション処理モジュールはさらに、上記制御コマンドに応答して、上記第２のＬＡＮ通信プロトコルに基づいて上記第２のゲートウェイＬＡＮ送信モジュールに電力シミュレーション情報を送信するように、上記第２のスマートメータＬＡＮ送信モジュールを制御するように構成され、
上記ゲートウェイ処理モジュールはさらに、上記制御コマンドに応答して上記第２のＬＡＮ通信プロトコルに基づいて上記第２のスマートメータＬＡＮ送信モジュールから電力シミュレーション情報を受信するように、上記第２のゲートウェイＬＡＮ送信モジュールを制御するように構成される請求項２記載のＡＭＩサイト調査システム。
【請求項５】
上記ゲートウェイ処理モジュールはさらに、送信スケジュールに従って電力シミュレーション情報を送信するように上記第１のゲートウェイＬＡＮ送信モジュール及び上記ＷＡＮ送信モジュールを制御し、
上記情報シミュレーション処理モジュールはまた、スマートメータ送信スケジュールに従って電力シミュレーション情報を送信するように上記第１のスマートメータＬＡＮ送信モジュールを制御する請求項１記載のＡＭＩサイト調査システム。
【請求項６】
上記ゲートウェイ処理モジュールはさらに、上記電力シミュレーション情報のフォーマットを調整し、上記ＷＡＮ通信プロトコルに基づいて上記サーバに電力シミュレーション情報を送信するように上記ＷＡＮ送信モジュールを制御するように構成される請求項１記載のＡＭＩサイト調査システム。
【請求項７】
上記ＷＡＮ通信プロトコルは、広帯域電力線通信プロトコルと、狭帯域電力線通信プロトコルと、第３世代ネットワーク通信プロトコルと、ＷｉＭＡＸネットワーク通信プロトコルと、ＬＴＥ通信プロトコルとのうちの１つである請求項１記載のＡＭＩサイト調査システム。
【請求項８】
上記第１のＬＡＮ通信プロトコルは、広帯域電力線通信プロトコルと、狭帯域電力線通信プロトコルと、ＺｉｇＢｅｅ通信プロトコルとのうちの１つである請求項１記載のＡＭＩサイト調査システム。
【請求項９】
ＡＭＩサイト調査システムのためのゲートウェイシミュレーション機器であって、
上記ＡＭＩサイト調査システムはさらに、電力シミュレーション情報の一部を送信するスマートメータシミュレーション機器を備え、
上記ゲートウェイシミュレーション機器は、
ゲートウェイ処理モジュールと、
ＷＡＮ通信プロトコルを用いてサーバと通信するＷＡＮ送信モジュールと、
第１のＬＡＮ通信プロトコルを用いてスマートメータシミュレーション機器と通信し、上記第１のＬＡＮ通信プロトコルに基づいて上記スマートメータシミュレーション機器から電力シミュレーション情報を受信する第１のゲートウェイＬＡＮ送信モジュールとを備え、
上記ゲートウェイ処理モジュールは、上記サーバが上記第１のＬＡＮ通信プロトコル及び上記ＷＡＮ通信プロトコルを用いて電力シミュレーション情報の送信のネットワーク送信状況を記録するように、上記ＷＡＮ通信プロトコルに基づいて上記サーバに電力シミュレーション情報を送信するように、ＷＡＮ送信モジュールを制御するように構成されるプロトコル及びＷＡＮ通信プロトコル。
ゲートウェイシミュレーション機器。
【請求項１０】
上記ゲートウェイシミュレーション機器はさらに、第２のＬＡＮ通信プロトコルを用いてスマートメータシミュレーション機器と通信する第２のゲートウェイＬＡＮ送信モジュールを備え、
上記ゲートウェイ処理モジュールはさらに、上記サーバが上記第２のＬＡＮ通信プロトコル及び上記ＷＡＮ通信プロトコルを用いて電力シミュレーション情報の送信のネットワーク送信状況を記録するように、上記第２のＬＡＮ通信プロトコルに基づいて上記スマートメータシミュレーション機器から電力シミュレーション情報を受信するように上記第２のゲートウェイＬＡＮ送信モジュールを制御するように構成される請求項９記載のゲートウェイシミュレーション機器。
【請求項１１】
上記ゲートウェイシミュレーション機器はさらに、上記ゲートウェイ中継モジュールを備え、
上記ゲートウェイ処理モジュールはさらに、上記電力シミュレーション情報を送信するように上記第２のゲートウェイＬＡＮ送信モジュールを制御して、送信スケジュールに従ってゲートウェイ中継モジュールを調整する請求項１０記載のゲートウェイシミュレーション機器。
【請求項１２】
上記ゲートウェイ処理モジュールはさらに、上記サーバから制御コマンドを受信し、上記制御コマンドに応答して上記第２のＬＡＮ通信プロトコルに基づいて上記第２のスマートメータＬＡＮ送信モジュールから電力シミュレーション情報を受信するように上記第２のゲートウェイＬＡＮ送信モジュールを制御する請求項１０記載のゲートウェイシミュレーション機器。
【請求項１３】
上記ゲートウェイ処理モジュールはさらに、送信スケジュールに従って上記電力シミュレーション情報を送信するように上記第１のゲートウェイＬＡＮ送信モジュール及びＷＡＮ送信モジュールを制御する請求項９記載のゲートウェイシミュレーション機器。
【請求項１４】
上記ゲートウェイ処理モジュールはさらに、上記電力シミュレーション情報のフォーマットを調整し、上記ＷＡＮ通信プロトコルに基づいて、上記サーバに電力シミュレーション情報を送信するように上記ＷＡＮ送信モジュールを制御するように構成される請求項９記載のゲートウェイシミュレーション機器。
【請求項１５】
上記ＷＡＮ通信プロトコルは、広帯域電力線通信プロトコルと、狭帯域電力線通信プロトコルと、第３世代ネットワーク通信プロトコルと、ＷｉＭＡＸネットワーク通信プロトコルと、ＬＴＥ通信プロトコルとのうちの１つである請求項９記載のゲートウェイシミュレーション機器。
【請求項１６】
上記第１のＬＡＮ通信プロトコルは、広帯域電力線通信プロトコルと、狭帯域電力線通信プロトコルと、ＺｉｇＢｅｅ通信プロトコルとのうちの１つである請求項９記載のゲートウェイシミュレーション機器。
【請求項１７】
ＡＭＩサイト調査システムのためのスマートメータシミュレーション機器であって、
上記ＡＭＩサイト調査システムはさらに、ＷＡＮ通信プロトコルを用いてサーバと通信するゲートウェイシミュレーション機器を備え、
上記スマートメータシミュレーション機器は、
第１のスマートメータＬＡＮ送信モジュールと、
情報シミュレーション処理モジュールとを備え、
上記第１のスマートメータＬＡＮ送信モジュールは、第１のＬＡＮ通信プロトコルを用いて上記ゲートウェイシミュレーション機器と通信し、
上記情報シミュレーション処理モジュールは、電力シミュレーション情報の一部を送信し、上記ゲートウェイシミュレーション機器がＷＡＮ通信プロトコルに基づいて上記電力シミュレーション情報を上記サーバに送信し、上記サーバが上記第１のＬＡＮ通信プロトコル及び上記ＷＡＮ通信プロトコルを用いて上記電力シミュレーション情報の送信のネットワーク送信状態を記録するように、上記第１のＬＡＮ通信プロトコルに基づいて上記ゲートウェイシミュレーション機器に電力シミュレーション情報を送信するように上記第１のスマートメータＬＡＮ送信モジュールを制御するように構成されるスマートメータシミュレーション機器。
【請求項１８】
上記スマートメータシミュレーション機器はさらに、第２のスマートメータＬＡＮ送信モジュールを備え、
上記第２のスマートメータＬＡＮ送信モジュールは第２のＬＡＮ通信プロトコルを用いて上記ゲートウェイシミュレーション機器と通信し、
上記情報シミュレーション処理モジュールはさらに、上記サーバが上記第２のＬＡＮ通信プロトコルと上記ＷＡＮ通信プロトコルを用いて電力シミュレーション情報の送信のネットワーク送信状況を記録するように、上記第２のＬＡＮ通信プロトコルに基づいて上記第２のゲートウェイＬＡＮ送信モジュールに上記電力シミュレーション情報を送信するように上記第２のスマートメータＬＡＮ送信モジュールを制御するように構成される請求項１７記載のスマートメータシミュレーション機器。
【請求項１９】
上記スマートメータシミュレーション機器はさらに、メータ中継モジュールを備え、
上記情報シミュレーション処理モジュールはさらに、上記電力シミュレーション情報を送信するように、上記第２のスマートメータＬＡＮ送信モジュールを制御して、送信スケジュールに従ってメータ中継モジュールを調整する請求項１８記載のスマートメータシミュレーション機器。
【請求項２０】
上記情報シミュレーション処理モジュールはさらに、上記サーバから制御コマンドを受信し、
上記情報シミュレーション処理モジュールはさらに、上記制御コマンドに応答して上記第２のＬＡＮ通信プロトコルに基づいて上記第２のゲートウェイＬＡＮ送信モジュールに電力シミュレーション情報を送信するように上記第２のスマートメータＬＡＮ送信モジュールを制御するように構成される請求項１８記載のスマートメータシミュレーション機器。
【請求項２１】
上記情報シミュレーション処理モジュールはさらに、送信スケジュールに従って上記電力シミュレーション情報を送信するように、上記第１のスマートメータＬＡＮ送信モジュールを制御する請求項１７記載のスマートメータシミュレーション機器。
【請求項２２】
上記第１のＬＡＮ通信プロトコルは、広帯域電力線通信プロトコルと、狭帯域電力線通信プロトコルと、ＺｉｇＢｅｅ通信プロトコルとのうちの１つである請求項１７記載のスマートメータシミュレーション機器。
【発明の詳細な説明】
【技術分野】
【０００１】
本発明は、先進的検針インフラストラクチャ（ＡＭＩ）サイト調査システムに関し、より具体的には、本発明のＡＭＩサイト調査システムは、スマートメータ、ゲートウェイ及びサーバの通信全体を評価することができる。
【０００２】
優先権主張
本出願は、その全体が本明細書に参照としてここに含まれる、２０１３年１１月２５日に出願された台湾特許出願第１０２１４２７７９号に基づいて優先権を主張する。
【背景技術】
【０００３】
ＡＭＩの使用は、実質的に電力効率を向上させ、さらにはエネルギーを節約し、従って既存の共通検針インフラストラクチャをＡＭＩと置き換えことにより、将来のトレンドになるであろう。しかし、ＡＭＩを有するすべての電力消費者に対して共通の検針インフラストラクチャを取り替えるのは時間のかかるプロジェクトである。ＡＭＩの再置き換えすることによって発生した不要なコストを回避するために、サイト調査は通常、実用的な置き換えの前に行われる。
【０００４】
具体的には、ＡＭＩは、通常はスマートメータと、ゲートウェイと、サーバから構成されている。スマートメータは、ローカルエリアネットワーク（ＬＡＮ）を介してゲートウェイと通信し、ゲートウェイはワイドエリアネットワーク（ＷＡＮ）を介してサーバと通信する。スマートメータが設置される必要があるときのクライアント環境では、すべて同じではないので、さまざまな通信プロトコル上のサイト調査は、クライアントの環境に、より適している通信プロトコルを判別するための実際のインストールの前に行う必要がある。
【発明の概要】
【発明が解決しようとする課題】
【０００５】
しかしながら、次のように従来のサイト調査技術は原因理由により不都合である。
（１）異なるテストツールは、信号評価がスマートメータとゲートウェイの間でＬＡＮ上で行われるときに、異なる通信プロトコルのために必要とされる。
（２）異なるテストツールを手動で異なる通信プロトコルにオンサイトでテストするために置き換える必要があり、このことは人件費が増加し、限られた試験時間を消費する。
（３）スマートメータとゲートウェイとの間のＬＡＮの評価は、ゲートウェイとサーバとの間のＷＡＮ評価とは別に行われるため、サーバへのスマートメータから情報伝達の全体的な送信効率の基準値は、実質的に低下させる。
【０００６】
このため、緊急の必要性は、より自動的な方法で、スマートメータ、ゲートウェイとサーバの全体的なネットワーク送信（伝送）を評価する新しいハードウェア機器が可能な開発する技術分野で存在する。
【０００７】
本発明の一態様の主な目的は、ゲートウェイシミュレーション機器及びスマートメータシミュレーション機器を備える先進的検針インフラストラクチャ（ＡＭＩ）サイト調査システムを提供することにある。
【課題を解決するための手段】
【０００８】
本発明の一態様に係るＡＭＩサイト調査システムは、ゲートウェイシミュレーション機器及びスマートメータシミュレーション機器を備える。上記ゲートウェイシミュレーション機器は、ゲートウェイ処理モジュールと、ワイドエリアネットワーク（ＷＡＮ）送信モジュールと、第１のゲートウェイローカルエリアネットワーク（ＬＡＮ）送信モジュールとを含む。上記スマートメータシミュレーション機器は、情報シミュレーション処理モジュールと、第１のスマートメータＬＡＮ送信モジュールとを含む。
【０００９】
上記ゲートウェイシミュレーション機器のＷＡＮ送信モジュールは、ＷＡＮ通信プロトコルを用いてサーバと通信する。上記第１のスマートメータＬＡＮ送信モジュールは、第１のＬＡＮ通信プロトコルを用いて第１のゲートウェイＬＡＮ送信モジュールと通信する。上記情報シミュレーション処理モジュールは、電力シミュレーション情報の一部を送信し、第１のＬＡＮ通信プロトコルに基づいて第１のゲートウェイＬＡＮ送信モジュールに電力シミュレーション情報を送信するように第１のスマートメータＬＡＮ送信モジュールを制御するように構成される。
【００１０】
上記ゲートウェイ処理モジュールは、上記サーバが第１のＬＡＮ通信プロトコル及びＷＡＮ通信プロトコルを用いて電力シミュレーション情報の送信のネットワーク送信状況を記録するように、ＷＡＮ通信プロトコルに基づいて、サーバに電力シミュレーション情報を送信するように上記ＷＡＮ送信モジュールを制御するように構成される。
【００１１】
本発明のために実施される詳細な技術と好適な実施形態は、請求される発明の特徴をよく認識できる当業者のために添付の図面を参照して以下の段落で説明する。
【図面の簡単な説明】
【００１２】
【図１Ａ】本発明の第１実施形態に係るＡＭＩサイト調査システムの概略図である。
【図１Ｂ】本発明の第１実施形態に係るゲートウェイシミュレーション機器のブロック図である。
【図１Ｃ】本発明の第１実施形態に係るスマートメータシミュレーション機器のブロック図である。
【図２Ａ】本発明の第２実施形態に係るＡＭＩサイト調査システムの概略図である。
【図２Ｂ】本発明の第２実施形態に係るゲートウェイシミュレーション機器のブロック図である。
【図２Ｃ】本発明の第２実施形態に係るスマートメータシミュレーション機器のブロック図である。
【発明を実施するための形態】
【００１３】
以下の説明において、本発明は、その例示的な実施形態を参照して説明する。しかし、これらの例示的な実施形態は、これらの実施の形態に記載した特定の実施例、実施形態、環境、アプリケーション又は実装に本発明を限定するものではない。従って、これらの例示的な実施形態の説明は、本発明を限定するためではなく例示のみを目的としている。以下の実施形態及び添付図面において、本発明に関係のない要素は図示を省略している。添付の以下の図面において個々の構成要素間の大きさの関係は、理解を容易にするために図示されているが、実際のスケールを限定するものではない。
【００１４】
図１Ａ〜図１Ｃをともに参照する。図１Ａは、本発明の第１実施形態に係るＡＭＩサイト調査システム１の概略図である。ＡＭＩサイト調査システム１は、ゲートウェイシミュレーション機器１１とスマートメータシミュレーション機器１３とを備える。図１Ｂは、本発明の第１実施形態に係るゲートウェイシミュレーション機器１１のブロック図である。ゲートウェイシミュレーション機器１１は、ゲートウェイ処理モジュール１１１と、第１のゲートウェイＬＡＮ送信モジュール１１３と、ＷＡＮ送信モジュール１１５とを備える。図１Ｃは、本発明の第１実施形態に係るスマートメータシミュレーション機器１３のブロック図である。スマートメータシミュレーション機器１３は、情報シミュレーション処理モジュール１３１と、第１のスマートメータＬＡＮ送信モジュール１３３とを備える。個々の構成要素間の相互作用についてさらに以下に説明する。
【００１５】
まず、接続アーキテクチャは主に次のとおりである。ゲートウェイシミュレーション機器１１のＷＡＮ側送信モジュール１３５はＷＡＮ通信プロトコルＷＡＮａを用いてサーバ６と通信を行い、スマートメータシミュレーション機器１３の第１のスマートメータＬＡＮ送信モジュール１３３は第１のＬＡＮ通信プロトコルＬＡＮａを用いてゲートウェイシミュレーション機器１１の第１のゲートウェイＬＡＮ送信モジュール１１３と通信する。
【００１６】
上記接続アーキテクチャに基づいて、スマートメータシミュレーション機器１３の情報シミュレーション処理モジュール１３１は電力シミュレーション情報７０の一部を生成して送信することができる。そして、情報シミュレーション処理モジュール１３１をさらに、第１のＬＡＮ通信プロトコルＬＡＮに基づいてゲートウェイシミュレーション機器１１の第１のゲートウェイＬＡＮ送信モジュール１１３に電力シミュレーション情報７０を送信するように第１のスマートメータＬＡＮ送信モジュール１３３を制御する。
【００１７】
次に、ゲートウェイシミュレーション機器１１のゲートウェイ処理モジュール１１１は、ＷＡＮ通信プロトコルＷＡＮａに基づいてサーバ６に電力シミュレーション情報７０を送信するようにＷＡＮ送信モジュール１１５を制御することができる。これにより、サーバ６は、第１のＬＡＮ通信プロトコルＬＡＮａ及びＷＡＮ通信プロトコルＷＡＮａを用いて電力シミュレーション情報７０の送信のネットワーク送信状態を記録することができる。電力シミュレーション情報７０は、ＡＭＩサイト調査システム１のゲートウェイシミュレーション機器１１とスマートメータシミュレーション機器１３を介して全体の送信をテストするために使用されるので、サーバ６によって記録されるネットワーク送信状態の信頼性が大幅に改善され、サーバ６は、それに応じて、この通信路が所定の通信品質に適合しているか否かを決定することができる。
【００１８】
以下のことが特に認識されるべきである。第１の実施形態の技術に基づいて、もしゲートウェイシミュレーション機器１１が他の実施例と同時に複数のスマートメータシミュレーション機器１３と接続したときに、ゲートウェイ処理モジュール１１１は、スマートメータ送信スケジュール（図示せず）に従って電力シミュレーション情報７０を送信するように第１のゲートウェイＬＡＮ送信モジュール１１３及びＷＡＮ送信モジュール１１５を制御することができる。一方、各スマートメータシミュレーション機器１３の情報シミュレーション処理モジュール１１３は、同一のスマートメータ送信スケジュールに従って電力シミュレーション情報７０を送信するように各第１のスマートＬＡＮ送信モジュール１３３を制御する。従って、ゲートウェイシミュレーション機器１１を介して各スマートメータ装置１３とバックホールネットワーク６との間のネットワーク接続状態を順次決定することができる。
【００１９】
さらに、ＷＡＮ通信プロトコルＷＡＮａ及び第１のＬＡＮ通信プロトコルＬＡＮａによって使用される複数のパケットは異なるフォーマットを有してもよい。従って、第１の実施形態では、ゲートウェイ処理部１１１は、まず、第１のＬＡＮ通信プロトコルＬＡＮａに準拠したパケットフォーマットから、ＷＡＮ通信プロトコルＷＡＮａに準拠したパケットフォーマットに、上記スマートメータシミュレーション機器１３から受信された電力シミュレーション情報を調整し、その後、バックホールネットワーク６に上記調整された電力シミュレーション情報７０を送信することができる。
【００２０】
図２Ａ〜図２Ｃをともに参照する。図２Ａは、本発明の第２実施形態に係るＡＭＩサイト調査システム２の概略図である。ＡＭＩサイト調査システム２は、ゲートウェイシミュレーション機器２１とスマートメータシミュレーション機器２３とを備える。図２Ｂは、本発明の第２実施形態に係るゲートウェイシミュレーション機器２１のブロック図である。ゲートウェイシミュレーション機器２１は、ゲートウェイ処理モジュール２１１と、第１のゲートウェイＬＡＮ送信モジュール２１３と、ＷＡＮ送信モジュール２１５と、第２のゲートウェイＬＡＮ送信モジュール２１７と、ゲートウェイ中継モジュール２１９とを備える。図２Ｃは、本発明の第２実施形態に係るスマートメータシミュレーション機器２３のブロック図である。スマートメータシミュレーション機器２３は、情報シミュレーション処理モジュール２３１と、第１のスマートメータＬＡＮ送信モジュール２３３と、第２のスマートメータＬＡＮ送信モジュール２３７と、スマートメータ中継モジュール２３９とを備える。個々の構成要素間の相互作用は、さらに以下に説明する。
【００２１】
まず、接続アーキテクチャは、主に次のとおりである。同様に、ゲートウェイシミュレーション機器２１のＷＡＮ送信モジュール２３５は、ＷＡＮ通信プロトコルＷＡＮａを用いてサーバ６と通信を行う。スマートメータシミュレーション機器２３の第１のスマートメータＬＡＮ送信モジュール２３３は、第１のＬＡＮ通信プロトコルＬＡＮａを用いてゲートウェイシミュレーション機器２１の第１のゲートウェイＬＡＮ送信モジュール２１３と通信する。スマートメータシミュレーション機器２３の第２のスマートメータＬＡＮ送信モジュール２３７は、第２のＬＡＮ通信プロトコルＬＡＮｂを用いてゲートウェイシミュレーション機器２１の第２のゲートウェイＬＡＮ送信モジュール２１７と通信する。
【００２２】
上記接続アーキテクチャに基づいて、スマートメータシミュレーション機器２３の情報シミュレーション処理モジュール２３１は、電力シミュレーション情報７０の一部を生成して送信することができる。そして、情報シミュレーション処理モジュール２３１はさらに、第１のＬＡＮ通信プロトコルＬＡＮａに基づいてゲートウェイシミュレーション機器２１の第１のゲートウェイＬＡＮ送信モジュール２１３に電力シミュレーション情報７０を送信するように第１のスマートメータＬＡＮ送信モジュール２３３を制御することができる。
【００２３】
次に、ゲートウェイシミュレーション機器２１のゲートウェイ処理モジュール２１１は、ＷＡＮ通信プロトコルＷＡＮａに基づいてサーバ６に電力シミュレーション情報７０を送信するようにＷＡＮ送信モジュール２１５を制御することができる。これにより、サーバ６は、第１のＬＡＮ通信プロトコルＬＡＮａ及びＷＡＮ通信プロトコルＷＡＮａを用いて電力シミュレーション情報７０の送信のネットワーク送信状態を記録することができる。
【００２４】
一方、情報シミュレーション処理モジュール２３１はまた、第２のＬＡＮ通信プロトコルＬＡＮｂに基づいて、ゲートウェイシミュレーション機器２１の第２のゲートウェイＬＡＮ送信モジュール２１７に電力シミュレーション情報７０を送信するように第２のスマートメータＬＡＮ送信モジュール２３７を制御することができる。その後、ゲートウェイシミュレーション機器２１のゲートウェイ処理モジュール２１１は、ＷＡＮ通信プロトコルＷＡＮａに基づいてサーバ６に電力シミュレーション情報７０を送信するようにＷＡＮ送信モジュール２１５を制御することができる。これにより、サーバ６は、第２のＬＡＮ通信プロトコルＬＡＮｂ及びＷＡＮ通信プロトコルＷＡＮａを用いて電力シミュレーション情報７０の送信のネットワーク送信状態を記録することができる。
【００２５】
以下のことは特に強調すべきである。第２の実施形態では、ゲートウェイシミュレーション機器２１は、第１のＬＡＮ通信プロトコルＬＡＮａ及び第２のＬＡＮ通信プロトコルＬＡＮｂが互いに干渉しないという条件で同時に、第１のＬＡＮ通信プロトコルＬＡＮａ及び第２のＬＡＮ通信プロトコルＬＡＮｂを用いて上記スマートメータシミュレーション機器２３と通信を行うことができる。しかしながら、もし第１のＬＡＮ通信プロトコルＬＡＮａと第２の通信ネットワークプロトコルＬＡＮｂが互いに干渉した場合は、このことはスケジューリングを通じて解決することができる。
【００２６】
詳細には、ゲートウェイ処理モジュール２１１は、まず、第２のゲートウェイＬＡＮ送信モジュール２１７が電力シミュレーション情報７０を送信するように第２のゲートウェイＬＡＮ送信モジュール２１７を制御して駆動されるように、ＬＡＮ送信モジュール（図示せず）に従ってゲートウェイ中継モジュール２１９を調整してもよい。一方、情報シミュレーション処理モジュール２３１は、第２のスマートメータＬＡＮ送信モジュール２３７が、電力シミュレーション情報を送信するように第２のスマートメータＬＡＮ送信モジュール２３７を制御して駆動されるように、同一の送信スケジュールに従ってスマートメータ中継モジュール２３９を調整する。
【００２７】
さらに説明すると、ＬＡＮ送信スケジュールは、主に、中継モジュールを介して、第１のネットワーク送信モジュール（第１のゲートウェイＬＡＮ送信モジュール２１３と第１のスマートメータＬＡＮ送信モジュール２３３）及び第２のネットワーク送信モジュール（第２のゲートウェイＬＡＮ送信モジュール２１７及び第２スマートメータＬＡＮ送信モジュール２３７）のオン及びオフをスケジューリングするために使用される。この方法では、２つのＬＡＮ通信プロトコルの同時送信による干渉を回避することができるように、第１のＬＡＮ通信プロトコルＬＡＮａ及び第２のＬＡＮ通信プロトコルＬＡＮｂの送信順序をスケジュールすることができる。
【００２８】
また、第２実施形態では、望ましい通信プロトコルはまた、使用の柔軟性を増大させるためにサーバ６のコマンドを使用することによって決定してもよい。具体的には、ゲートウェイ処理モジュール２１１と情報シミュレーション処理モジュール２３１は、サーバ６からの制御コマンド６０を受信することができる。そして、情報シミュレーション処理モジュール２３１は、制御コマンド６０に応答して第２のＬＡＮ通信プロトコルＬＡＮｂに基づいて第２のゲートウェイＬＡＮ送信モジュール２１７に電力シミュレーション情報７０を送信するように第２のスマートメータＬＡＮ送信モジュール２３７を制御することができる。一方、ゲートウェイ処理モジュール２１１はまた、制御コマンドに応答して第２のＬＡＮ通信プロトコルＬＡＮｂに基づいて第２のスマートメータＬＡＮ送信モジュール２３７から電力シミュレーション情報７０を受信するように第２のゲートウェイＬＡＮ送信モジュール２１７を制御する。
【００２９】
従って、上記スケジュール及び制御コマンドの使用により、サーバ６は、同時に電力シミュレーション情報７０の送信の次の２つのネットワーク送信状況を記録することができる。
（１）第１のＬＡＮ通信プロトコルＬＡＮａ及びＷＡＮ通信プロトコルＷＡＮａを用いたネットワーク送信状態、及び
（２）第２のＬＡＮ通信プロトコルＬＡＮｂ及びＷＡＮ通信プロトコルＷＡＮａを用いたネットワーク送信状態。
従って、サーバ６はどの送信路がより良好な品質を有するか直接に決定することができる。
【００３０】
さらに、本発明のゲートウェイシミュレーション機器２１はさらに、直接にスマートメータシミュレーション機器２３に制御コマンドを送信し、上記スマートメータシミュレーション機器２３が電力シミュレーション情報を送信して戻すときに、第１のＬＡＮ通信プロトコルＬＡＮａ又は第２のＬＡＮ通信プロトコルＬＡＮｂを用いて電力シミュレーション情報の送信のネットワーク送信状態を記録することができる。これにより、本発明のゲートウェイシミュレーション機器２１はさらに、ユーザによるその後の使用のために個別的に、複数のＬＡＮ（第１のＬＡＮ通信プロトコルＬＡＮａと第２のＬＡＮ通信プロトコルＬＡＮｂ）の送信状態を記録することができる。
【００３１】
以下のことは特に認識すべきことである。上記実施形態で説明したＷＡＮ通信プロトコルは、広帯域電力線通信プロトコルと、狭帯域電力線通信プロトコルと、第３世代ネットワーク通信プロトコルと、ＷｉＭＡＸネットワーク通信プロトコルと、ＬＴＥ通信プロトコルとのうちの１つであってもよい。ＷＡＮ通信プロトコルが広帯域電力線を介して高電圧機器のノードに接続されている場合、それはさらに、光ファイバを介して高電圧機器ノードからバックホールネットワークに送信することができる。ＬＡＮ通信プロトコルは、広帯域電力線通信プロトコルと、狭帯域電力線通信プロトコルと、ＺｉｇＢｅｅ通信プロトコルとの１つであってもよい。しかし、これは本発明の実施形態を限定するものではない。
【００３２】
上記の説明によれば、本発明のＡＭＩサイト調査システムは、より自動的な方法で、スマートメータ、ゲートウェイ及びサーバからなる全体的なネットワーク送信（伝送）を評価する。これにより、実質的に人件費を削減し、評価精度を向上させる、
【００３３】
上記の開示は、それらの詳細な技術内容と発明の特徴に関連している。その特徴から逸脱することなく、上述したように、当業者が本発明の開示及び提案に基づいて、種々の変形例及び代替例に到達することができる。このような変形例及び代替例が完全に上記の説明に開示されていないが、添付の特許請求の範囲にもかかわらず、それらは、実質的に以下の特許請求の範囲でカバーされている。
【図１Ａ】
2015104128.tif 000003
【図１Ｂ】
2015104128.tif 000004
【図１Ｃ】
2015104128.tif 000005
【図２Ａ】
2015104128.tif 000006
【図２Ｂ】
2015104128.tif 000007
【図２Ｃ】
2015104128.tif 000008
【外国語明細書】
2015104128.tif 000009
2015104128.tif 000010
2015104128.tif 000011
2015104128.tif 000012
2015104128.tif 000013
2015104128.tif 000014
2015104128.tif 000015
2015104128.tif 000016
2015104128.tif 000017
2015104128.tif 000018
2015104128.tif 000019
2015104128.tif 000020
2015104128.tif 000021
2015104128.tif 000022
2015104128.tif 000023
2015104128.tif 000024
2015104128.tif 000025
2015104128.tif 000026
2015104128.tif 000027
2015104128.tif 000028
2015104128.tif 000029
2015104128.tif 000030
2015104128.tif 000031
2015104128.tif 000032
2015104128.tif 000033